(57)【要約】      （修正有）【課題】混練していないと分離する性質の混合液を一定量だけ外部に順次送出する混練中の混合液の押し出し装置を提供する。【解決手段】容器１内の混合液９は回転する第１の中空軸体４の羽根体３により混練される。この混合液の送出は第２の中空軸体５を下降させてその下面を容器１の底面側にある鍔付ブッシュ２の柔軟体２ｃの上面に圧接し、次に、押し出し棒６を下降させて第２の中空軸体５と押し出し棒６との間に収納されている混合液を鍔付ブッシュ２が貫通孔２ｄから外部に送出する。【選択図】図１
0003165431.tif 000002
【実用新案登録請求の範囲】
【請求項１】
混合液を収納する容器と、該容器の底面に嵌着され前記底面上に鍔部を設けると共に下方に伸設部を有し前記混合液が自重で送出されない孔径の貫通孔を設けてなる鍔付ブッシュと、前記容器内に垂直方向に配置され羽根体を水平方向に設けてなる第１の中空軸体と、該第１の中空軸体内に摺動可能に保持される第２の中空軸体と、該第２の中空軸体内に摺動可能に保持される押し出し棒と、前記第１及び第２の軸体及び押し出し棒の駆動部及びこの制御部とを有し、前記羽根体の回転時において前記第２の中空軸体を下方に移動して前記第２の中空軸体の下端面を前記鍔部に圧設した状態で前記押し出し棒を下降させて前記第２の中空軸体と前記押し出し棒との間に収納されている前記混合液を前記鍔付ブッシュの貫通孔から送出すべく形成されることを特徴とする混練中の混合液の押し出し装置。
【請求項２】
前記鍔付ブッシュの前記鍔部の上面に前記混合液に浸触されない柔軟体を冠着することを特徴とする請求項１に記載の混練中の混合液の押し出し装置。
【請求項３】
前記混合液が混練中止時には相互分離する液体群であることを特徴とする請求項１に記載の混練中の混合液の押し出し装置。
【考案の詳細な説明】
【技術分野】
【０００１】
混練中の混合液の一部を収納して外部に押し出しする混練中の混合液の押し出し装置に関する。
【背景技術】
【０００２】
混合液を押し出しする押し出し装置としては数多くの公知技術があり、例えば、「特許文献１」に示すようなものがあるが、その他の押し出し装置も混合液の混練中においてその混合液を外部に押し出しする装置は見当らない。
【先行技術文献】
【特許文献】
【０００３】
【特許文献１】特開２００４−３４４１４８号（図１）
【考案の概要】
【考案が解決しようとする課題】
【０００４】
「特許文献１」の「特開２００４−３４４１４８号」の「無茹麺の製造方法」は混練されている混合液を加熱しながら動力で押し出すものであるが、混練しないと混合液が分離するような混合液に対しては適用不能の構造のものからなる。
本考案は、混練中の混合液の一部を外部に押し出しする装置であって、特に混練中止時には分離する性質の混合液に対して有効な混練中の混合液の押し出し装置を提供することを目的とする。
【課題を解決するための手段】
【０００５】
本考案は、以上の目的を達成するために、請求項１の考案は、混合液を収納する容器と、該容器の底面に嵌着され前記底面上に鍔部を設けると共に下方に伸設部を有し前記混合液が自重で送出されない孔径の貫通孔を設けてなる鍔付ブッシュと、前記容器内に垂直方向に配置され羽根体を水平方向に設けてなる第１の中空軸体と、該第１の中空軸体内に摺動可能に保持される第２の中空軸体と、該第２の中空軸体内に摺動可能に保持される押し出し棒と、前記第１及び第２の軸体及び押し出し棒の駆動部及びこの制御部とを有し、前記羽根体の回転時において前記第２の中空軸体を下方に移動して前記第２の中空軸体の下端面を前記鍔部に圧設した状態で前記押し出し棒を下降させて前記第２の中空軸体と前記押し出し棒との間に収納されている前記混合液を前記鍔付ブッシュの貫通孔から送出すべく形成されることを特徴とする。
【０００６】
また、請求項２の考案は、前記鍔付ブッシュの前記鍔部の上面に前記混合液に浸触されない柔軟体を冠着することを特徴とする。
【０００７】
また、請求項３の考案は、前記混合液が混練中止時には相互分離する液体群であることを特徴とする。
【考案の効果】
【０００８】
本考案の請求項１の混練中の混合液の押し出し装置によれば、回転している第１の中空軸対による混練中の混合液は第２の中空軸対の下降とその下端面を鍔付ブッシュの鍔部（柔軟体のある場合はこの柔軟体）に圧接することにより第２の中空軸体と押し出し棒との間に混練中の混合液が収納され、この状態で押し出し棒を下降させることにより収納されている混合液を鍔付ブッシュの貫通孔から外部に容易に送出することができる。なお、貫通孔は混合液の自重により送出できない孔径のものからなり、押し出し棒の押し出しによってのみ外部に送出される。
【０００９】
本考案の請求項２の混練中の混合液の押し出し装置によれば、鍔付ブッシュに柔軟体を冠着することにより第２の中空軸体と鍔付ブッシュとの間により完全な密閉空間が形成され、収納されている混合液の押し出しがより確実に行われる。
【００１０】
本考案の請求項３の混練中の混合液の押し出し装置によれば、本考案の装置は混練しないと分離するような液体群に対しては特に有効のものであり、従来技術にはない特徴を有するものである。
【図面の簡単な説明】
【００１１】
【図１】本考案の混練中の混合液の押し出し装置の全体構造を示す断面図。
【図２】本考案の混練中の混合液の押し出し装置における混合液の混練状態を示す部分断面図。
【図３】第２の中空軸体が下降して鍔付ブッシュの鍔部（柔軟体）に圧接して第２の中空軸体と押し出し棒との間に混練中の混合液の一部を収納した状態を示す部分断面図。
【図４】第２の中空軸体と押し出し棒との間に収納されていた混合液を押し出し棒の下降によって外部に送出している状態を示す部分的断面図。
【考案を実施するための形態】
【００１２】
以下、本考案の混練中の混合液の押し出し装置の実施の形態を図面を参照して詳述する。
【実施例１】
【００１３】
本実施例では鍔付ブッシュの鍔部に混合液に浸触されない柔軟体を冠着したものであるが、この柔軟体はなくてもよい。
本実施例１の混練中の混合液の押し出し装置１００は、大別して次の構成要素からなる。即ち、装置の本体側に着脱可能に装着される容器１と、容器１の底面に嵌着される鍔付ブッシュ２と、羽根体３を水平方向に配設し容器１内に垂直方向に沿って配設される第１の中空軸体４と、第１の中空軸体４内に摺動可能に保持される第２の中空軸体５と、第２の中空軸体５内に摺動可能に保持される押し出し棒６と、第１の中空軸体４や第２の中空軸体５や押し出し棒６等を駆動するモータ７及びこのモータ７の制御部８等とからなる。なお、モータ７や制御部８の構造や作用等についてはノウハウ的の要素もあり、ここでの説明は省略する。
【００１４】
容器１内には混合液９が収納されるが、この混合液９は常に混練作業を継続しないと夫々の液が分離する性質のものからなるが、勿論、本考案はそのような混合液に限定するものではない。
【００１５】
鍔付ブッシュ２は前記のように容器１の底面１ａのほぼ中央部に嵌着されるものであり、鍔部２ａと伸設部２ｂを有するブッシュであり、鍔部２ａは底面１ａに下面を接して配置され上面２ｃは底面１ａより突出する位置に配置される。なお、鍔付ブッシュ２には貫通孔２ｄが設けられるがこの貫通孔２ｄは混合液が自重で貫通孔２ｄから送出されない孔径のものからなる。
また、本実施例では鍔付ブッシュ２の鍔部２ａには混合液９によって浸触されない性質の柔軟体１０が冠着される。但し、本考案ではこの柔軟体１０がないものでもよい。
【００１６】
第１の中空軸体４は前記のように容器１内に垂直方向に配置されるパイプ体であり、その外周には水平方向に配置されて混合液９を混練させるための羽根体３を固定するものからなる。また、この第１の中空軸体４はモータ７により回転駆動される。
【００１７】
第２の中空軸体５は第１の中空軸体４内に上下方向に沿って移動可能に保持されるパイプ体であり、この第２の中空軸体５はモータ７（第１の中空軸体４とは別のもの）により上下動する。
【００１８】
押し出し棒６は棒体からなり、第２の中空軸体５内において上下方向に沿って移動可能に保持される。なお、図１に示すようにその下端は第２の中空軸体５の下端よりも少し上方の位置に配置される。また、この押し出し棒６もモータ７（第１及び第２の中空軸体４，５とは別のもの）により上下動する。
【００１９】
次に、この混練中の混合液の押し出し装置１００による混合液９の送出方法を図２乃至図４により説明する。
図２は混合液９の押し出しのない状態における第１の中空軸体４と第２の中空軸体５と押し出し棒６の配置を示す断面図である。図示のように第１の中空軸体４は回転駆動され羽根体３により混合液９は混練されている。この場合、第２の中空軸体５の下端は鍔付ブッシュ２側の柔軟体１０の上面から離れた位置にあり、この間には混練されている混合液９が存在している。
【００２０】
図３は第２の中空軸体５が下降してその下端が鍔付ブッシュ側の柔軟体１０の上面に圧接された状態を示す。この状態において、第２の中空軸体５と押し出し棒６との間には混練された直後の混合体９ａが収納される。但し、混合液９ａは自重により鍔付ブッシュ２の貫通孔２ｄから外部に送出されないためこの状態で保持される。
【００２１】
図４は図３における混合液９ａの送出状態を示すものである。押し出し棒６を下降させることにより図３における混合液９ａは鍔付ブッシュ２の貫通孔２ｄを介して外部に送出されることになる。
【００２２】
本考案の混練中の混合液の押し出し装置１００は以上の構造や作用からなるものであるが、勿論、以上の内容に限定するものではなく、同一技術的範疇のものが適用されることは勿論である。
【産業上の利用可能性】
【００２３】
本考案の混練中の混合液の押し出し装置は混練された混合体を外部に一定量づつ送付する装置に適用されるものでその利用範囲は広い。
【符号の説明】
【００２４】
１    容器
１ａ  底面
２    鍔付ブッシュ
２ａ  鍔部
２ｂ  伸設部
２ｃ  上面
２ｄ  貫通孔
３    羽根体
４    第１の中空軸体
５    第２の中空軸体
６    押し出し棒
７    モータ
８    制御部
９    混合液
９ａ  混合液
１０  柔軟体
１００  混練中の混合液の押し出し装置
【図１】
0003165431.tif 000003
【図２】
0003165431.tif 000004
【図３】
0003165431.tif 000005
【図４】
0003165431.tif 000006